(57)【特許請求の範囲】
【請求項１】
ＱＡＭ変調を用いたＱＡＭ変調通信システムの多値差動復号装置であって、
Ｎビット（Ｎ≧４）の送信シンボルの上位２ビットに差動符号化が施された信号を受信する同期検波部と、
前記同期検波部を介した受信信号の受信シンボルのうちの上位２ビットの情報に基づいて座標回転を行うＭＳＢ座標回転部と、
互いに異なる時間での前記上位２ビットに基づく座標回転後の２組のビット列を用いて差動復号後の前記上位２ビットに対する尤度を生成するＭＳＢシンボル尤度生成部と、
前記受信信号の受信シンボルのうちの下位Ｎ−２ビットからなる下位ビットについて尤度を生成するＬＳＢシンボル尤度生成部と、
前記ＭＳＢシンボル尤度生成部および前記ＬＳＢシンボル尤度生成部から生成された前記上位２ビットおよび前記下位ビットの各尤度を用いて誤り訂正復号処理を施して復号信号を生成する軟判定誤り訂正復号部と、
を備えたＱＡＭ変調通信システムの多値差動復号装置。
【請求項２】
前記ＬＳＢシンボル尤度生成部は、変調方式切り替え用の変調方式信号を入力情報として、下位ビットの尤度生成機能の動作を使用／未使用に切り替える請求項１に記載のＱＡＭ変調通信システムの多値差動復号装置。
【請求項３】
前記ＭＳＢ座標回転部は、前記２組のビット列を生成するために、
或る時刻の受信信号に対して座標回転を行う第１のＭＳＢ座標回転部と、
前記或る時刻から１シンボル前の受信信号に対して座標回転を行う第２のＭＳＢ座標回転部と、
を含む請求項１または請求項２に記載のＱＡＭ変調通信システムの多値差動復号装置。
【請求項４】
前記軟判定誤り訂正復号部に接続されたフレーム同期信号検出部を備え、
前記同期検波部で受信される信号には、前記差動符号化が施された上位２ビットに誤り訂正フレームの先頭を示すフレーム先頭ビット列が割り当てられており、
前記ＭＳＢシンボル尤度生成部は、前記フレーム先頭ビット列に基づき差動復号後のフレーム先頭ビットを生成して、前記フレーム同期信号検出部に入力し、
前記フレーム同期信号検出部は、前記差動復号後のフレーム先頭ビットから誤り訂正復号用のフレーム先頭位置を検出して、前記軟判定誤り訂正復号部に入力する請求項１から請求項３までのいずれか１項に記載のＱＡＭ変調通信システムの多値差動復号装置。
【請求項５】
前記軟判定誤り訂正復号部に接続されたフレーム同期信号検出部を備え、
前記同期検波部で受信される信号には、前記差動符号化が施された上位２ビットに誤り訂正フレームの先頭を示すフレーム先頭ビット列が割り当てられており、
前記フレーム同期信号検出部は、前記フレーム先頭ビット列に基づき差動復号後のフレーム先頭ビットを生成するとともに、前記差動復号後のフレーム先頭ビットから誤り訂正復号用のフレーム先頭位置を検出して、前記軟判定誤り訂正復号部に入力する請求項１から請求項３までのいずれか１項に記載のＱＡＭ変調通信システムの多値差動復号装置。
【請求項６】
ＱＡＭ変調を用いたＱＡＭ変調通信システムの多値差動復号方法であって、
Ｎビット（Ｎ≧４）の送信シンボルの上位２ビットに差動符号化が施された信号を受信する受信ステップと、
受信信号の受信シンボルのうちの上位２ビットの情報に基づいて座標回転を行うＭＳＢ座標回転ステップと、
互いに異なる時間での前記上位２ビットに基づく座標回転後の２組のビット列を用いて差動復号後の前記上位２ビットに対する尤度を生成するＭＳＢシンボル尤度生成ステップと、
前記受信信号の受信シンボルのうちの下位Ｎ−２ビットからなる下位ビットについて尤度を生成するＬＳＢシンボル尤度生成ステップと、
前記上位２ビットおよび前記下位ビットの各尤度を用いて誤り訂正復号処理を施して復号信号を生成する軟判定誤り訂正復号ステップと、
を備えたＱＡＭ変調通信システムの多値差動復号方法。
【請求項７】
前記ＬＳＢシンボル尤度生成ステップは、変調方式切り替え用の変調方式信号を入力情報として、下位ビットの尤度生成機能の動作を使用／未使用に切り替える請求項６に記載のＱＡＭ変調通信システムの多値差動復号方法。
【請求項８】
前記軟判定誤り訂正復号ステップの前に実行されるフレーム同期信号検出ステップを備え、
前記受信ステップで受信される信号には、前記差動符号化が施された上位２ビットに誤り訂正フレームの先頭を示すフレーム先頭ビット列が割り当てられており、
前記フレーム同期信号検出ステップは、前記フレーム先頭ビット列に基づき差動復号後のフレーム先頭ビットを生成するとともに、前記差動復号後のフレーム先頭ビットから誤り訂正復号用のフレーム先頭位置を検出し、
前記軟判定誤り訂正復号ステップは、前記フレーム先頭位置を用いて前記復号信号を生成する請求項６または請求項７に記載のＱＡＭ変調通信システムの多値差動復号方法。
【発明の詳細な説明】
【技術分野】
【０００１】
この発明は、ＱＡＭ変調を用いたＱＡＭ変調通信システムの多値差動復号装置および方法に関し、特に、差動符号化された多値変調光信号の復号処理を少ない回路規模で実現するための新規な技術に関するものである。
【背景技術】
【０００２】
近年、光通信システムの大容量化に加えて、周波数利用効率の向上を目的として、多値変調の適用が活発化している。ただし、伝送容量増大を目的として多値度を高くしていった場合には、多値度の増加にともなって位相雑音耐力が低下することが知られている（たとえば、非特許文献１参照）。【０００３】
そこで、多値変調伝送によって生じる位相雑音に起因した位相スリップに対処して、伝送性能を保証するために、パイロット信号を挿入する技術が提案されている（たとえば、非特許文献２参照）。
しかし、パイロット信号を挿入すると、パイロット挿入頻度によって冗長度が増加するので、電気回路の動作速度上昇をともない、高速の伝送速度への対応が難しくなるという問題が生じる。【０００４】
一方、位相スリップに対処するための他の技術として、差動符号化を使用することも知られている。この技術は、互いに直交する２つのＩ／Ｑ信号の位相空間上での連続する信号点の遷移に情報を与えることにより、絶対位相の変化に対して耐性を持たせたものである。この場合、付加的な信号の挿入を必要としないので、信号動作速度上昇をともなうことがなく、高速信号伝送への適用に優れるという利点を有する。【０００５】
また、多値信号の復調処理に関連して、受信信号の上位ビットを信号座標の象限判定に使用し、下位ビットについては、上位ビットとは独立に尤度生成処理を行う技術も知られている（たとえば、特許文献１参照）。【０００６】
また、差動符号化された変調信号を受信し、受信信号について尤度を生成する技術も知られている（たとえば、特許文献２、特許文献３、特許文献４参照）。
また、受信したＱＡＭ（Ｑｕａｄｒａｔｕｒｅ  Ａｍｐｌｉｔｕｄｅ  Ｍｏｄｕｌａｔｉｏｎ：直交振幅変調）信号ベクトルの上位ビットと下位ビットとのそれぞれについて、尤度生成処理を行う技術も知られている（たとえば、特許文献５、特許文献６、特許文献７参照）。【０００７】
また、象限識別に対応したＭＳＢ（最上位ビット）側２ビットを差動符号化し、ＬＳＢ（最下位ビット）側ビットをグレイ符号化する方式において、ＭＳＢ側２ビットに対して差動復号を施すとともに、ＬＳＢ側ビットに対してシンボル回転を組み合わせた復号処理を施す技術も知られている（たとえば、特許文献８参照）。【０００８】
さらに、１００Ｇｂｐｓ以上の伝送速度を実現する技術として、デジタル信号処理を用いたデジタルコヒーレント伝送技術が着目されている。
この技術においては、ＡＤＣ（Ａｎａｌｏｇ−ｔｏ−Ｄｉｇｉｔａｌ  Ｃｏｎｖｅｒｔｅｒ）を用いた振幅情報を受信信号処理に適用可能なので、軟判定を用いた誤り訂正技術の併用が容易であり、受信性能を向上させることができる。
【先行技術文献】
【特許文献】
【０００９】
【特許文献１】特開平０８−２８８９６７号公報
【特許文献２】特開平０８−２７４７４７号公報
【特許文献３】特開平０６−１７７９２８号公報
【特許文献４】特開２００１−２６８１４７号公報
【特許文献５】国際公開２００５／１０９８１１号公報
【特許文献６】特開２００４−２６０７１２号公報
【特許文献７】国際公開２００８／００１４５６号公報
【特許文献８】特許第３８２２９８２号公報
【非特許文献】
【００１０】
【非特許文献１】Ｔ．Ｙｏｓｈｉｄａ、ｅｔ  ａｌ．，「Ｄｉｇｉｔａｌ  ｓｉｇｎａｌ  ｐｒｏｃｅｓｓｉｎｇ  ｆｏｒ  ｅｑｕａｌｉｚａｔｉｏｎ  ｏｆ  ｆｉｂｅｒ  ｎｏｎｌｉｎｅａｒｉｔｙ  ｉｎ  ｃｏｈｅｒｅｎｔ  ｒｅｃｅｉｖｅｒｓ」ＯＥＣＣ２０１２、５Ｂ１−３、２０１２．
【非特許文献２】Ｙ．Ｇａｏ、ｅｔ  ａｌ．，「Ｃｙｃｌｅ−ｓｌｉｐ  ｒｅｓｉｉｌｅｎｔ  ｃａｒｒｉｅｒ  ｐｈａｓｅ  ｅｓｔｉｍａｔｉｏｎ  ｆｏｒ  ｐｏｌａｒｉｚａｔｉｏｎ  ｍｕｌｔｉｐｌｅｘｅｄ  １６−ＱＡＭ  ｓｙｓｔｅｍｓ」ＯＥＣＣ２０１２、４Ｂ２−４、２０１２．
【発明の概要】
【発明が解決しようとする課題】
【００１１】
従来のＱＡＭ変調通信システムの多値差動復号装置および方法は、多値度を高めた光通信の実現を目的として、デジタルコヒーレント技術を用いた多値変調技術、誤り訂正技術、ＱＡＭ変調時の尤度生成技術の各単独技術が提示されているものの、多値変調による位相雑音耐力の低下を誤り訂正で効果的に救うことができないという課題があった。【００１２】
具体的には、高速の多値変調信号の伝送を実現する際に、位相スリップの影響を回避しつつ回路動作速度を上昇させないために、ＱＡＭ変調に差動符号化および復号化技術を適用するとともに、誤り訂正と組み合わせた場合の回路構成については、全く提示されていないという課題があった。【００１３】
この発明は、上記のような課題を解決するためになされたものであり、多値変調に適用した差動復号処理を少ない回路規模で実現可能なＱＡＭ変調通信システムの多値差動復号装置および方法を得ることを目的とする。
【課題を解決するための手段】
【００１４】
この発明に係るＱＡＭ変調通信システムの多値差動復号装置は、Ｎビット（Ｎ≧４）の送信シンボルの上位２ビットに差動符号化が施された信号を受信する同期検波部と、同期検波部を介した受信信号の受信シンボルのうちの上位２ビットの情報に基づいて座標回転を行うＭＳＢ座標回転部と、互いに異なる時間での上位２ビットに基づく座標回転後の２組のビット列を用いて差動復号後の上位２ビットに対する尤度を生成するＭＳＢシンボル尤度生成部と、受信信号の受信シンボルのうちの下位Ｎ−２ビットからなる下位ビットについて尤度を生成するＬＳＢシンボル尤度生成部と、ＭＳＢシンボル尤度生成部およびＬＳＢシンボル尤度生成部から生成された上位２ビットおよび下位ビットの各尤度を用いて誤り訂正復号処理を施して復号信号を生成する軟判定誤り訂正復号部と、を備えたものである。
【発明の効果】
【００１５】
この発明によれば、象限情報を表す上位２ビットの情報に基づいて、座標回転処理後に差動復号処理を行うことにより、多値度の増加によらず、差動復号回路を簡易に構成することができる。
【図面の簡単な説明】
【００１６】
【図１】この発明の実施の形態１に係るＱＡＭ変調通信システムの多値差動復号装置を示す機能ブロック図である。
【図２】この発明の実施の形態１に用いられる多値信号点の配置例を示す説明図である。
【図３】この発明の実施の形態１によるＭＳＢ側ビットの尤度生成例を示す説明図である。
【図４】この発明の実施の形態１によるＬＳＢ側ビットの尤度生成例を示す説明図である。
【図５】この発明の実施の形態１に係るＱＡＭ変調通信システムの多値差動復号装置の他の構成例を示す機能ブロック図である。
【発明を実施するための形態】
【００１７】
実施の形態１．
以下、図面を参照しながら、この発明の実施の形態１について説明する。
図１は、この発明の実施の形態１に係るＱＡＭ変調通信システムの多値差動復号装置を示す機能ブロック図であり、受信機の構成を示している。
【００１８】
図１において、ＱＡＭ変調通信システムの多値差動復号装置は、尤度生成部１０と、送信機からの受信信号を尤度生成部１０に入力する同期検波部１１と、ビットＬＬＲ（Ｌｏｇａｒｉｔｈｍ  ｏｆ  Ｌｉｋｅｌｉｈｏｏｄ  Ｒａｔｉｏ）生成部２６と、軟判定誤り訂正復号部２７と、により構成されている。
【００１９】
尤度生成部１０は、象限情報抽出部１２と、遅延部１３と、ＭＳＢ座標回転部１４ａ、１４ｂと、ＭＳＢシンボル尤度生成部１５と、ＬＳＢ座標回転部２４と、ＬＳＢシンボル尤度生成部２５と、を備えている。
【００２０】
なお、尤度生成部１０内において、２つの破線枠は、時刻ｔ−１（１シンボル前）の信号と、時刻ｔ（現シンボル）の信号と、の各適用範囲をそれぞれ示している。
また、象限情報抽出部１２からの破線矢印は、時刻ｔの信号の象限に応じた座標回転情報を示している。
【００２１】
象限情報抽出部１２は、時刻ｔの受信信号のうち、ＭＳＢ側ビット（２ビット）を用いて、受信信号が存在する象限情報を抽出して、ＭＳＢ座標回転部１４ａ、１４ｂおよびＬＳＢ座標回転部２４に入力する。
ＭＳＢ座標回転部１４ａは、象限情報に応じて座標回転を施した受信信号をＭＳＢシンボル尤度生成部１５に入力する。
【００２２】
遅延部１３は、受信信号を遅延させて、時刻ｔ−１（１シンボル前）の受信信号をＭＳＢ座標回転部１４ｂに入力する。ＭＳＢ座標回転部１４ｂは、１シンボル前の信号に対して、象限情報に応じた座標回転を施し、ＭＳＢシンボル尤度生成部１５に入力する。
ＭＳＢシンボル尤度生成部１５は、２つの入力信号を用いてＭＳＢ差動復号を行うことにより、ＭＳＢシンボル尤度を生成し、ビットＬＬＲ生成部２６に入力する。
【００２３】
一方、ＬＳＢ座標回転部２４は、象限情報および変調方式信号を入力情報として、受信信号のうち、ＬＳＢ側ビット（下位側のＮ−２ビット）に対して座標回転を施し、ＬＳＢシンボル尤度生成部２５に入力する。シンボル尤度生成部２５は、ＬＳＢ座標回転部２４からの入力信号からＬＳＢシンボル尤度を生成し、ビットＬＬＲ生成部２６に入力する。
【００２４】
ビットＬＬＲ生成部２６は、ＭＳＢシンボル尤度生成部１５およびＬＳＢシンボル尤度生成部２５からの入力信号を用いてビットＬＬＲを生成し、軟判定誤り訂正復号部２７は、ビットＬＬＲを用いて復号された復号信号を生成する。
【００２５】
以下、図２〜図４を参照しながら、図１に示したこの発明の実施の形態１の動作について、さらに具体的に説明する。
図２はこの発明の実施の形態１に用いられる多値信号点の配置例を示す説明図であり、各信号点が４ビット（Ｎ＝４）の場合を示している。
【００２６】
また、図３はこの発明の実施の形態１によるＭＳＢ側ビット（ＭＳＢシンボル）の尤度生成例を示す説明図であり、図４はこの発明の実施の形態１によるＬＳＢ側ビット（ＬＳＢシンボル）の尤度生成例を示す説明図である。
図２〜図４において、各信号点のうちのＭＳＢ側２ビット「００、１０、１１、０１」（破線枠内参照）は、各象限に対応した情報を示している。
【００２７】
ここでは、象限を識別するＭＳＢ側２ビットが差動符号化された１６ＱＡＭ変調信号（４値変調）の復調処理を例にとって説明する。
たとえば、図２のマッピングがなされた信号を想定すると、受信した各シンボルは、同期検波部１１により、或る信号ビット幅を有する複素信号として復調される。
【００２８】
なお、ここでは図示しないが、同期検波部１１における受信光電界の再生処理および歪等化処理などは、通常のデジタルコヒーレント光受信処理を用いることによって実現可能であり、波形歪の補償および偏波多重信号の分離なども、デジタル信号処理によって実現されているものとする。
【００２９】
まず、象限情報抽出部１２は、或る時刻ｔの受信信号のうち、ＭＳＢ側２ビットを用いて受信信号が存在する象限情報を抽出する。
ＭＳＢ座標回転部１４ａは、復号に際し、象限情報に応じた座標回転を行い、受信信号を単一象限に再配置する。同様に、ＭＳＢ座標回転部１４ｂは、時刻ｔの受信信号の象限情報に対応した同一の座標回転を、時刻ｔ−１（１シンボル前）の受信信号に対しても行う。
【００３０】
図３においては、時刻ｔでの第３象限「１１」内の信号点Ｐ３に対して１８０度回転を行い、第１象限「００」内の信号点Ｐ１に再配置し、時刻ｔ−１での第４象限「０１」内の信号点Ｐ４に対して１８０度回転を行い、第２象限「１０」内の信号点Ｐ２に再配置する場合が示されている。
【００３１】
なお、上記回転動作は、尤度生成用の基準点を単一象限（第１象限）のみに配置するための処理であり、たとえば、時刻ｔの受信信号の信号点が第２象限に位置する場合には、９０度回転を行い第１象限に再配置することになる。この場合、時刻ｔ−１の受信信号の信号点に対しても９０度回転が行われる。
【００３２】
これにより、ＭＳＢシンボル尤度生成部１５においては、単一象限（第１象限）のみを基準として、ＤＥＱＰＳＫ（Ｄｉｆｆｅｒｅｎｔｉａｌ  Ｅｎｃｏｄｅｄ  Ｑｕａｄｒａｔｕｒｅ  Ｐｈａｓｅ  Ｓｈｉｆｔ  Ｋｅｙｉｎｇ：差分符号化直交位相シフトキーイング）用の尤度が生成される。
【００３３】
このとき、ＭＳＢシンボル尤度生成部１５は、２つの時刻ｔ、ｔ−１での各信号点Ｐ１、Ｐ２に対して、それぞれ仮想最尤点Ｑ１、Ｑ２（ハッチング円参照）からのユークリッド距離Ｌ１、Ｌ２に基づく尤度を求め、２点Ｐ１、Ｐ２の尤度および遷移状態から差動復号後の尤度生成を行い、ＭＳＢ側上位２ビットに対する尤度を生成する。
２ビットを用いた差動復号後の尤度生成処理は、公知のＤＥＱＰＳＫ復調技術を使用することにより実現可能である。
【００３４】
一方、ＬＳＢ側２ビットの復号については、象限ごとに９０度回転したグレイ符号化が施されている信号点配置の特徴を活用する。
すなわち、図４に示すように、ＬＳＢ座標回転部２４は、時刻ｔでの信号点Ｐ３に対して抽出された象限情報「１１」に基づき座標回転を行い、第１象限「００」（単一象限）内の信号点Ｐ１に再配置する。
次に、ＬＳＢシンボル尤度生成部２５は、仮想最尤点Ｑ１からのユークリッド距離Ｌ１から、ＬＳＢ側尤度を直接（差動復号処理を行わずに）決定する。
【００３５】
以下、ビットＬＬＲ生成部２６は、ＭＳＢシンボル尤度生成部１５およびＬＳＢシンボル尤度生成部２５から生成された各尤度情報（ＭＳＢシンボル尤度およびＬＳＢシンボル尤度）から、誤り訂正符号の符号語に対応したビット尤度（ビットＬＬＲ）を生成して軟判定誤り訂正復号部２７に入力する。
最後に、軟判定誤り訂正復号部２７は、ビットＬＬＲを用いて誤り訂正復号処理した後の復号信号を生成する。
【００３６】
このとき、軟判定誤り訂正復号部２７において、復号処理をより正しく行うためには、誤り訂正符号の符号語の単位が既知であることが望ましい。この場合、誤り訂正符号を構成するフレーム位置の情報が必要となるので、図５（後述する）のように、軟判定誤り訂正復号部２７Ａの周辺構成を変更する必要がある。
【００３７】
また、位相スリップが発生した際のフレーム位置情報の消失を防ぐためにも、差動符号化信号に対する上記復号化処理を適用することは有用である。この場合、送信機側において、たとえば、誤り訂正符号を構成するフレーム先頭のビット列（Ｆｒａｍｅ  Ａｌｉｇｎｍｅｎｔ  Ｓｉｇｎａｌ）をＭＳＢ側２ビットに割り当てて、差動符号化処理を行うことにより、位相スリップに対して耐力を有する誤り訂正符号およびフレームを構成することができる。
【００３８】
図５はこの発明の実施の形態１に係るＱＡＭ変調通信システムの多値差動復号装置の他の構成例を示す機能ブロック図であり、前述（図１参照）と同様のものについては、前述と同一符号を付して、または符号の後に「Ａ」を付して詳述を省略する。
【００３９】
図５においては、尤度生成部１０Ａ内のＭＳＢシンボル尤度生成部１５Ａと軟判定誤り訂正復号部２７Ａとの間に、誤り訂正符号のフレーム先頭パルス（誤り訂正フレーム先頭パルス）を生成するフレーム同期信号検出部２８が挿入されている。
この場合、ＭＳＢシンボル尤度生成部１５Ａは、受信信号に含まれるフレーム先頭ビット列に基づき差動復号後のフレーム先頭ビットを生成して、フレーム同期信号検出部２８に入力する。
【００４０】
図５に示すように、ＭＳＢシンボル尤度生成部１５ＡによるＭＳＢ側復号処理後に、フレーム同期信号検出部２８を設け、誤り訂正符号を構成するフレーム位置（たとえば、フレーム先頭を表すパルス）を軟判定誤り訂正復号部２７Ａに供給することにより、位相スリップに対して確実な耐力を有する誤り訂正復号処理を実現することができる。
【００４１】
なお、ここでは、尤度生成部１０Ａと軟判定誤り訂正復号部２７Ａとの間にフレーム同期信号検出部２８を挿入したが、フレーム位置検出のための差動復号処理およびフレーム同期信号検出処理は、軟判定誤り訂正復号部２７Ａの直前で行う必然性はなく、尤度生成部１０Ａとは別の機能ブロック（別回路）としてもよく、動作にも特に支障が生じないことは言うまでもない。
【００４２】
また、ＭＳＢ側の尤度を生成するＭＳＢシンボル尤度生成部１５Ａは、図３のように、各象限にそれぞれ信号を１つのみ配置したＱＰＳＫに対する差動復号手段として、格別な変更を加えることなく、そのまま活用することができる。
【００４３】
さらに、ＬＳＢ座標回転部２４は、たとえば、外部からの変調方式信号を、変調方式に関する入力情報として取り込み、ＬＳＢ側の機能の使用／未使用を切り替えることにより、ＱＰＳＫ信号用の差動復号機能と、１６ＱＡＭ信号用の差動復号機能との動作切り替えが可能となるので、複数の変調方式に対応可能に構成することができる。
【００４４】
以上のように、この発明の実施の形態１（図１〜図４）に係るＱＡＭ変調通信システムの多値差動復号装置は、Ｎビット（Ｎ≧４）の送信シンボルの上位２ビットに差動符号化が施された信号を受信する同期検波部１１と、同期検波部１１を介した受信信号の受信シンボルのうちの上位２ビットの情報に基づいて座標回転を行うＭＳＢ座標回転部１４ａ、１４ｂと、互いに異なる時間での上位２ビットに基づく座標回転後の２組のビット列を用いて差動復号後の上位２ビットに対する尤度を生成するＭＳＢシンボル尤度生成部１５と、上位２ビットとは独立に、受信信号の受信シンボルのうちの下位Ｎ−２ビットからなる下位ビットについて尤度を生成するＬＳＢシンボル尤度生成部２５と、ＭＳＢシンボル尤度生成部１５およびＬＳＢシンボル尤度生成部２５から生成された上位２ビットおよび下位ビットの各尤度を用いて誤り訂正復号処理を施して復号信号を生成する軟判定誤り訂正復号部２７と、を備えている。
【００４５】
また、ＬＳＢシンボル尤度生成部２５は、変調方式切り替え用の変調方式信号を入力情報として、下位ビットの尤度生成機能の動作を使用／未使用に切り替える。
ＭＳＢ座標回転部は、２組のビット列を生成するために、或る時刻ｔの受信信号に対して座標回転を行うＭＳＢ座標回転部１４ａ（第１のＭＳＢ座標回転部）と、第１のＭＳＢ座標回転部とは独立に、或る時刻ｔから１シンボル前（時刻ｔ−１）の受信信号に対して座標回転を行うＭＳＢ座標回転部１４ｂ（第２のＭＳＢ座標回転部）と、を含む。
【００４６】
さらに、この発明の実施の形態１に係るＱＡＭ変調通信システムの多値差動復号方法は、送信シンボルの上位２ビットに差動符号化が施された信号を受信する受信ステップと、受信信号の受信シンボルのうちの上位２ビットの情報に基づいて座標回転を行うＭＳＢ座標回転ステップと、互いに異なる時間での上位２ビットに基づく座標回転後の２組のビット列を用いて差動復号後の上位２ビットに対する尤度を生成するＭＳＢシンボル尤度生成ステップと、受信信号の受信シンボルのうちの下位Ｎ−２ビットからなる下位ビットについて尤度を生成するＬＳＢシンボル尤度生成ステップと、上位２ビットおよび下位ビットの各尤度を用いて誤り訂正復号処理を施して復号信号を生成する軟判定誤り訂正復号ステップと、を備えている。
また、ＬＳＢシンボル尤度生成ステップは、変調方式切り替え用の変調方式信号を入力情報として、下位ビットの尤度生成機能の動作を使用／未使用に切り替える。
【００４７】
これにより、たとえば１６ＱＡＭ変調（４値変調）の差動符号化を例にとった場合、従来装置では、最大で１６通り（４値×４象限）の組み合わせを考慮した差動復号を実現する必要があるのに対し、この発明の実施の形態１によれば、座標回転を併用した差動復号処理を行うことによって、単一象限（第１象限）のみを基準とした尤度生成処理となり、４通り（４値×１象限）の組み合わせのみを考慮すればよくなるので、回路規模を大幅に削減することができる。
【００４８】
すなわち、象限情報を表す上位２ビットの情報に基づいて、座標回転処理後に差動復号処理を行うことにより、多値度の増加によらず、差動復号回路を簡易に構成することができる。
【００４９】
また、ＭＳＢシンボル尤度生成部１５における象限識別に基づくＭＳＢ側ビットの尤度生成と、ＬＳＢシンボル尤度生成部２５におけるＬＳＢ側ビットの尤度生成と、を独立に行うことにより、複数の変調方式に対応した尤度生成を概略同一回路にて実現することが可能となる。
【００５０】
さらに、この発明の実施の形態１（図５）に係るＱＡＭ変調通信システムの多値差動復号装置は、軟判定誤り訂正復号部２７Ａに接続されたフレーム同期信号検出部２８を備えており、同期検波部１１で受信される信号には、差動符号化が施された上位２ビットに誤り訂正フレームの先頭を示すフレーム先頭ビット列が割り当てられている。
【００５１】
この場合、ＭＳＢシンボル尤度生成部１５Ａは、フレーム先頭ビット列に基づき差動復号後のフレーム先頭ビットを生成して、フレーム同期信号検出部２８に入力し、フレーム同期信号検出部２８は、差動復号後のフレーム先頭ビットから誤り訂正復号用のフレーム先頭位置を検出して、軟判定誤り訂正復号部２７Ａに入力する。
【００５２】
または、フレーム同期信号検出部２８は、尤度生成部１０Ａとは独立に構成され、フレーム先頭ビット列に基づき差動復号後のフレーム先頭ビットを生成するとともに、差動復号後のフレーム先頭ビットから誤り訂正復号用のフレーム先頭位置を検出して、軟判定誤り訂正復号部２７Ａに入力する。
【００５３】
さらに、この発明の実施の形態１に係るＱＡＭ変調通信システムの多値差動復号方法は、軟判定誤り訂正復号ステップの前に実行されるフレーム同期信号検出ステップを備え、受信ステップで受信される信号には、差動符号化が施された上位２ビットに誤り訂正フレームの先頭を示すフレーム先頭ビット列が割り当てられており、フレーム同期信号検出ステップは、フレーム先頭ビット列に基づき差動復号後のフレーム先頭ビットを生成するとともに、差動復号後のフレーム先頭ビットから誤り訂正復号用のフレーム先頭位置を検出し、軟判定誤り訂正復号ステップは、フレーム先頭位置を用いて復号信号を生成する。
【００５４】
このように、フレーム同期位置の検出を、ＭＳＢ側ビットの差動復号後に行うことにより、位相スリップ耐性がさらに優れた誤り訂正復号を実現することができる。
【図１】
0005847335.tif 000002
【図２】
0005847335.tif 000003
【図３】
0005847335.tif 000004
【図４】
0005847335.tif 000005
【図５】
0005847335.tif 000006